(57)【要約】      （修正有）【課題】長尺のケーシングパイプがその長さ高さを既設の橋梁等の構造物の高さに干渉性無く、設計通りのサンドドレーン等の砂杭が形成出来るようにする。【解決手段】施工装置のヘッドに設けたキーパー４と上部のシーブ装置５との間に介装して配設したケーシングパイプ６の所定高さレベル部位に加振器７とその直下に設置位置調整自在な受振器８を配設する。【選択図】図３
2004238829.tif 000002
【特許請求の範囲】
【請求項１】
施工装置のヘッドに設けたキーパーと該キーパーの上位に設けたシーブ装置の間に設けられたリーダーに沿って配設されたケーシングパイプの所定部位に加振器と受振器とが配設されているケーシングパイプ打設装置構造において、該ケーシングパイプに相対取付位置変位自在に、且つ、スライド自在に加振器下部に受振器が配設されていることを特徴とするケーシングパイプ打設装置構造。
【請求項２】
上記受振器が緊締解離自在なコッター機構を有していることを特徴とする請求項１記載のケーシングパイプ打設装置構造。
【請求項３】
上記受振器が緊締解離自在な歯車機構を有していることを特徴とする請求項１記載のケーシングパイプ打設装置構造。
【発明の詳細な説明】
【０００１】
【産業上の利用分野】
開示技術は、土木工事における海上施工等にて打設に用いるケーシングパイプが既設橋梁等に相互干渉して施工の邪魔になるような態様の場合に当該ケーシングパイプの実質設置長さを変化自在にし得るようにする技術分野に属する。
【０００２】
【従来の技術】
周知の如く、国土が狭隘で山間林野部が多く、而も、当該山間林野部が長い海岸線に近接して在るような特殊な地勢条件の我が国にあっては、ビル等の各種の産業施設や田地田畑等に構造物の民家等の施設等を構築するに用いる平野部は限られており、したがって、古来より遠浅海岸や河川や湖沼の流域等の有効利用を図る種々の技術が研究開発され、就く遠浅海岸や河川や沼地流域などの軟弱地盤に対し、これを埋め立てたり、浚渫したり等して有効利用する技術が開発され、サンドドレーン工法等の砂杭を当該軟弱地盤の中に形成する技術が旧くから開発されて実用に供されてきた。
【０００３】
【発明が解決しようとする課題】
当該施工に際しては、軟弱地盤中に砂杭をケーシングパイプを介して所定深度に打設し、当該ケーシングパイプが所定深度に達すると、当該ケーシングパイプの内部に中詰砂を上部のホッパー等から投入充填し、それらのプロセスにおいて、エア注入装置から圧縮エアを加圧的に送給し、バイブロハンマー等の加振器を作動させ、当該深度からケーシングパイプを引き上げて地盤中に所定の砂杭を形成するようにしていた。
【０００４】
而して、上記施工に要する打撃力を上方から印加する加振器はケーシングパイプの上位のホッパー近傍に設けて行われるのが普通であり、したがって、当該態様は該ケーシングパイプにとって所謂トップヘビーの状態になり、而も、陸上施工や海上施工の如何を問わず、該施工に際して既に構築されている橋梁等のレベルが高い場合にはケーシングパイプと干渉して施工が充分に行われ難いという欠点があった。又、それ故に当該橋梁のレベルに干渉を来さないような短尺のケーシングパイプにその都度交換して加振器を改めて配設して施工を行わねばならず、その為に該ケーシングパイプの交換や加振器の取り替えが極めて煩瑣である難点があり、結果的に施工期間が長くなってコスト高になる不利点が有り、而も、施工精度が著しく悪くなり、設計通りの施工が出来ないという不都合さもあった。
【０００５】
【発明の目的】
この出願の発明の目的は上述従来技術に基づくサンドドレーン施工等の砂杭形成の際に用いるケーシングパイプが既設の橋梁等のハイレベルの高さに干渉する等の問題点を解決すべき技術的課題とし、当該橋梁等の既設構造物のレベルの高さに関係無く、長尺でも短尺でも自由に設計高さのケーシングパイプ長とすることが出来、設計通りの施工が確実に、且つ設計通りに行える様にして、建設産業における杭打設技術利用分野に益する新規な優れたケーシングパイプ打設装置構造を提供せんとするものである。
【０００６】
【発明が解決しようとする手段】
上述目的に沿い先述特許請求の範囲を要旨とするこの出願の発明の構成は、前述課題を解決するために、施工装置のヘッドに設けたキーパーと該キーパーの上位に設けたシーブ装置の間に設けられたリーダーに沿って配設されたケーシングパイプの所定部位に加振器と受振器とが配設されているケーシングパイプ打設装置構造において、該ケーシングパイプに相対取付位置変化自在にスライド自在に加振器の直下部に受振器が取り付けられているようにすることを基幹とし、而してその際、上記受振器が緊締解離自在なコッター機構を有しているようにもし、又、上記受振器が緊締解離自在な歯車機構を有しているようにもした技術的手段を講じたものである。
【０００７】
【作用】
而して上述構成において、砂杭施工を陸上施工や海上施工において行うに際し、施工装置のヘッドに設けたキーパーと該キーパーの上部のシーブ装置との間にケーシングパイプを配設し、該ケーシングパイプの所定部位に加振器及びその直下に受振器を配設し、而して該受振器はコッター機構や歯車機構により該ケーシングパイプに対する相対取り付け部位が自在にスライド出来るようにし、該ケーシングパイプの加振器の初期設置高さが不幸にして既設の橋梁等の構造物と干渉する場合には、干渉しない部位に加振器と受振器を自在に解離して、再緊締して取り付けし、そして該加振器を作動させて当該構造物に何等干渉することの無い高さのレベル部位に於いてケーシングパイプに受振器を介して打撃力を印加して当該地盤に該ケーシングパイプを打設し、而して、該ケーシングパイプの内部に中詰砂を供給すると共にその上部よりエア注入装置を介して所定に圧縮エアを送給して砂杭を形成し、当該ケーシングパイプが所定深度に到達した時点で該ケーシングパイプを被施工地盤より引き抜き、砂杭が設計通りに形成されるようにしたものである。
【０００８】
而して、当該ケーシングパイプの初期高さは加振器と受振器の該ケーシングパイプに対する相対取り付け位置をスライド自在にして取り付けることが出来ることにより、構造物と何等干渉性が無く、設計通りのサンドドレーン等の砂杭が形成出来、コスト的にも安くつき、施工能率も良く、施工も設計通りに確実に行えるようにしたものである。
【０００９】
【発明が実施しようとする形態】
次ぎにこの出願の発明の実施しようとする形態を実施例の態様として図面に基づいて説明すれば以下の通りである。
【００１０】
図示態様は陸上施工に於ける台車によるサンドドレーン施工の態様であるが、実施形態としては施工装置としての台船による海上施工のサンドドレーンの態様も採用可能なことは勿論のことである。
【００１１】
図１に示す態様において、１は施工装置としての陸上施工に於けるクローラータイプの台車であり、地盤２の所定部位に搬入されているものであり、このクローラーの上部フレームのヘッドには周公知のリーダー３が所定に立設されると共に、キーパー４が前方に延設されており、該リーダー３の上部には滑車を有するシーブ装置５が配設されると共に、該シーブ装置５とキーパー４に支持されて所定にケーシングパイプ６が介装されて上方に延設されている。
【００１２】
そして、該ケーシングパイプ６の上記シーブ装置５近傍には周公知のバイブロハンマー等の所定の加振器７と、その直下に受振器８が配設されてケーシングパイプ６に打込用の打撃力を印加するようにされている。
【００１３】
そして、該ケーシングパイプ６に緊締固定されている受振器８に対し、バイブロハンマー等の加振器７を作動させることにより、該ケーシングパイプ６に対し所定の打設力を印加して該ケーシングパイプ６を所定深度まで打設することが出来るようにされている。
【００１４】
該加振器７とシーブ装置５との間にはケーシングパイプ６に対して所定にホッパー１１が臨まされており、又、リーダー３には中継ぎホッパー１０が配設されており、バケットコンベアー等によりホッパー１１に所定に中詰砂を供給することが出来るようにされている。
【００１５】
而して、受振器８に於いては図２の（イ）に示す様に、一種のコッター機構８´  が設けられており、まず油圧モーター９により昇降される作動コッター８´  により該コッター８´  の上昇によりケーシングパイプ６の外面に圧接して緊締し、固定状態にして加振器７の加振力を印加して該ケーシングパイプ６を所定深度まで打設することが出来るようにされている。
【００１６】
尚、当該図２の（ロ）においては、コッター機構８´  の代わりにギヤ歯車８´´が該ケーシングパイプ６に固設外延されており、外装されており、該ウォーム歯車の歯車８´´にはウォーム式の歯車機構９´  がモーター９´´により回転して、その歯車作用により歯車８´´をケーシングパイプ６に対して昇降させて相対取り付け位置が変位自在であるようにされている。
【００１７】
尚、１１´  は油圧通路であり、１１´´は導電ケーブルであり、それぞれ台車１の操作室の制御盤に接続されているものである。
【００１８】
そして、ケーシングパイプ６に対し初期姿勢で打設を作用させるに際しては、図３の（ハ）に示す様に、シーブ装置５とキーパー４の間に所定尺度のケーシングパイプ６を介設し、該ケーシングパイプ６に対しバイブロハンマー等の加振器７に起振力を付与して受振器８に対し一定に作用して該ケーシングパイプ６を地盤２の所定深度に打設し、而してそのプロセス中において、図示しないエア注入装置によりエアを送給して予め所定に送給した中詰砂に加圧力を印加し、所定深度での引き抜きを行い、そのステップに移行する際、既設の橋梁等によりレベルがケーシングパイプ６の長さと干渉するような場合においてはコッター８´  ，油圧モーター９，通路１１´  により作動させて、該受振器８を既設構造物と干渉しない位置まで昇降させて変位させて、又、当該図２の（ロ）に示す様に、モーター９´´を回転させてウォームギア等の歯車機構９´  を回転させて、歯車機構９´  をケーシングパイプ６の長さ方向に所定に変位させて既設の橋梁等のレベルと干渉しない長さ位置レベルまで移動し、そのスライドした受振器８に対し、バイブロハンマー等の加振器７を所定に作動させて当該場所からケーシングパイプ６を所定深度に至るまで打設して中詰砂を充填し、エア注入装置から圧縮エアを送給してケーシングパイプ６をシーブ装置５の滑車を介し、図示しないウインチ等により引き抜き砂杭を地盤２中に形成して所定のサンドドレーン施工を完了する。
【００１９】
当該態様において、ケーシングパイプ６の加振器７及び受振器８を所定高さの既設の橋梁等と干渉しない相対位置のレベルにするには、当該図３の（ニ），（ホ），（ヘ）のように自在に変位させることにより既設の橋梁等の構造物とは何等その高さ位置は干渉すること無く、自在に設計通りのサンドドレーンの打設形成が行われるものである。
【００２０】
又、ケーシングパイプ６に対し初期セット状態とは異なり、施工中途部に張り出し部や中間ピアー部等が在る場合はその間で受振器８を上述同様に上下に尺取り虫的にスライドさせ適性レベル位置に在るようにして該適性レベルにて施工を継続する。
【００２１】
尚、この出願の発明の実施形態の態様は上述実施例に限るものでないことは勿論であり、例えば、受振器についてはピニオンラック機構等の機構を用いる等して加振器７に対しその取り付け固定位置を自在に変化させるようにすることも出来るものである。
【００２２】
又、受振器のみならず加振器の取付位置も可変にすることが出来ることも勿論であり、その場合受振器の取付位置も可変に出来るものである。
【００２３】
そして、設計によっては加振器７も受振器８に対しロックして、ケーシングパイプ６に対し相対レベル位置変位自在にあるようにすることも可能である。
【００２４】
又、施工対象は上述陸上施工に於ける施工台車の代わりに施工台船を用いて海上施工を行う様にすることが出来ることは勿論のことである。
【００２５】
【発明の効果】
以上、この出願の発明によれば、基本的にサンドドレーン等の砂杭を地盤中に立設して地盤改良を行うに際しての施工にあたり、既設の橋梁等の構造物に干渉性を有さず、当該既設橋梁等の構造物の高さに干渉することを避けてその高さレベルを自在に選定することが出来るという柔軟性がある優れた効果が奏される。
【００２６】
したがって、尺度の如何を問わず長さの異なるケーシングパイプについても、当該受振器の取付位置を長さ方向に自在に変位させることにより設計通りのケーシングパイプの打設が行え、施工能率が良く、低コストで砂杭が地盤内に形成出来るという優れた効果が奏される。
【００２７】
又、施工に際して、受振器は加振器の直下に於いて、受振器をケーシングパイプに外装するだけでスライド自在に変位出来ることにより、固定的な施設や構造とならずに済み、それだけ取り扱いも容易であるという優れた効果が奏される。
【００２８】
又、装置の取り扱いもし易く、メンテナンスフリーであり、それだけ施工能率も良好であるという利点がある。
【図面の簡単な説明】
【図１】この出願の発明の１実施形態の側面図である。
【図２】受振器の変位機構の構造側面図であり、（イ）は１態様の側断面図であり、（ロ）は他の実施形態の態様図である。
【図３】ケーシングパイプに対する受振器の配設位置調節の態様図であり、（ハ）はイニシャルセット時の態様側面図であり、（ニ）は長尺位置における取り付け態様の側面図であり、（ホ）は当該態様における受振器と加振器の取り合い位置側面図である。（ヘ）は短尺レベルにおける受振器と加振器の取り合い側面図である
【符号の説明】
１                    施工装置
４                    キーパー
５                    シーブ装置
３                    リーダー
６                    ケーシングパイプ
７                    加振器
８                    受振器
【図１】
2004238829.tif 000003
【図２】
2004238829.tif 000004
【図３】
2004238829.tif 000005